(57)【要約】【課題】クリップが落下するのを防止する。【解決手段】第１開閉アームと、前記第１開閉アームを支持する支持棒と、を有する作業用工具を用いて電線の作業を行うときに、前記第１開閉アームに把持されるクリップと、前記クリップに取り付けられ、前記クリップが前記第１開閉アームから外れても落下しないように、捻られた状態で前記クリップに取り付けられる側とは反対側に形成され、前記第１開閉アームのうちの一方のアームが挿入される環を有する環状の紐と、を備える。【選択図】  図１
2015023706.tif 000002
【特許請求の範囲】
【請求項１】
第１開閉アームと、前記第１開閉アームを支持する支持棒と、を有する作業用工具を用いて電線の作業を行うときに、前記第１開閉アームに把持されるクリップと、
前記クリップに取り付けられ、前記クリップが前記第１開閉アームから外れても落下しないように、捻られた状態で前記クリップに取り付けられる側とは反対側に形成され、前記第１開閉アームのうちの一方のアームが挿入される環を有する環状の紐と、
を備えたことを特徴とする電線作業用クリップ。
【請求項２】
前記紐は、前記環の径が前記一方のアームの径と略同等となるように捻られている
ことを特徴とする請求項１に記載の電線作業用クリップ。
【請求項３】
前記紐が前記クリップに取り付けられるように、前記紐を挟んで前記クリップの一の片に巻回されて固定される取付テープ、を更に備える
ことを特徴とする請求項１に記載の電線作業用クリップ。
【請求項４】
前記クリップは、
回動軸を中心に開く方向に弾性付勢され、前記第１開閉アームに把持される第２開閉アームと、
前記回動軸を中心に閉じる方向に弾性付勢され、前記電線を把持する第３開閉アームと、を有し、
前記取付テープは、前記第２開閉アームに固定される
ことを特徴とする請求項３に記載の電線作業用クリップ。
【請求項５】
前記取付テープは、面ファスナである
ことを特徴とする請求項３に記載の電線作業用クリップ。
【請求項６】
前記クリップは、前記紐が挿通される挿通孔を有し、
前記紐は、前記挿通孔に挿通されて前記クリップに取り付けられる
ことを特徴とする請求項１に記載の電線作業用クリップ。
【請求項７】
第１開閉アーム及び前記第１開閉アームを支持する支持棒を有する作業用工具と、
前記作業用工具を用いて電線の作業を行うときに、前記第１開閉アームに把持されるクリップと、
前記クリップに取り付けられ、前記クリップが前記第１開閉アームから外れても落下しないように、捻られた状態で前記クリップに取り付けられる側とは反対側に形成され、前記第１開閉アームのうちの一方のアームが挿入される環を有する環状の紐と、
を備えたことを特徴とする電線作業用工具。
【発明の詳細な説明】
【技術分野】
【０００１】
本発明は、電線作業用クリップ、電線作業用工具に関する。
【背景技術】
【０００２】
例えば、電線の作業を行うときにヤットコのアームに把持される工事用クリップが知られている（例えば特許文献１）。
【先行技術文献】
【特許文献】
【０００３】
【特許文献１】特開２０１１−８９６２９号公報
【発明の概要】
【発明が解決しようとする課題】
【０００４】
例えば、特許文献１の工事用クリップは、電線の作業を行うときにヤットコのアームから外れて落下する虞がある。
【課題を解決するための手段】
【０００５】
前述した課題を解決する主たる本発明は、第１開閉アームと、前記第１開閉アームを支持する支持棒と、を有する作業用工具を用いて電線の作業を行うときに、前記第１開閉アームに把持されるクリップと、前記クリップに取り付けられ、前記クリップが前記第１開閉アームから外れても落下しないように、捻られた状態で前記クリップに取り付けられる側とは反対側に形成され、前記第１開閉アームのうちの一方のアームが挿入される環を有する環状の紐と、を備えたことを特徴とする電線作業用クリップである。
【０００６】
本発明の他の特徴については、添付図面及び本明細書の記載により明らかとなる。
【発明の効果】
【０００７】
本発明によれば、クリップが落下するのを防止することができる。
【図面の簡単な説明】
【０００８】
【図１】本発明の第１実施形態における電線作業用工具を示す正面図である。
【図２】本発明の第１実施形態が適用される電線を示す図である。
【図３】本発明の第１実施形態におけるクリップを示す平面図である。
【図４】本発明の第１実施形態における開かれた状態のクリップを示す平面図である。
【図５】本発明の第１実施形態におけるクリップを示す正面図である。
【図６】本発明の第１実施形態におけるヤットコを示す正面図である。
【図７】本発明の第１実施形態における電線作業用工具の一部を示す正面図である。
【図８】本発明の第１実施形態における紐が捻られた状態の電線作業用工具の一部を示す正面図である。
【図９】本発明の第１実施形態におけるヤットコに対してクリップが取り付けられた状態の電線作業用工具の一部を示す正面図である。
【図１０】本発明の第１実施形態における電線に対してクリップが取り付けられた状態の電線作業用工具の一部を示す正面図である。
【図１１】本発明の第１実施形態における紐が解かれた状態の電線作業用工具の一部を示す正面図である。
【図１２】本発明の第１実施形態におけるヤットコからクリップが外れた状態の電線作業用工具の一部を示す正面図である。
【図１３】本発明の第２実施形態におけるクリップを示す平面図である。
【図１４】本発明の第２実施形態におけるクリップを示す正面図である。
【図１５】本発明の第３実施形態におけるクリップを示す正面図である。
【発明を実施するための形態】
【０００９】
本明細書および添付図面の記載により、少なくとも以下の事項が明らかとなる。
【００１０】
[第１実施形態]
＝＝＝電線作業用工具＝＝＝
以下、図１及び図２を参照して、本実施形態における電線作業用工具について説明する。図１は、本実施形態における電線作業用工具を示す正面図である。図２は、本実施形態が適用される電線を示す図である。
【００１１】
Ｚ軸は主軸２１が延びる方向に沿う軸であり、主軸２１における固定アーム２４が取り付けられていない一端から固定アーム２４が取り付けられている他端に向かう方向を＋Ｚ方向とし、主軸２１における当該他端から一端に向かう方向を−Ｚ方向とする。Ｙ軸は、回動アーム２５を回動させるための回動軸２４Ａが延びる方向に沿う軸であり、回動軸２４Ａの手前側から奥側に向かう方向と＋Ｙとし、回動軸２４Ａの奥側から手前側に向かう方向を−Ｙとする。Ｘ軸は、Ｙ軸及びＺ軸の双方に対して直交する軸であり、一方側から他方側に向かう方向を＋Ｘとし、他方側から一方側に向かう方向を−Ｘとする。
【００１２】
電線作業用工具１００は、例えば電線４３（図２）についての間接活線工法等の作業を行うための工具である。電線作業用工具１００は、ヤットコ２（作業用工具）、クリップ３、紐５を有する。尚、クリップ３及び紐５が電線作業用クリップに相当する。
【００１３】
クリップ３は、電線４３に対して絶縁シート４４を取り付けたり、電線４３の縁線（不図示）等を仮固定したりするための工具である。絶縁シート４４は、電線４３を覆って電気的に絶縁するためのシート部材である。尚、クリップ３の詳細については、後述する。
【００１４】
ヤットコ２は、比較的高所に設けられている電線４３についての作業を行うための装置である。ヤットコ２の詳細については、後述する。
【００１５】
紐５は、ヤットコ２を用いてクリップ３の操作を行うときに、クリップ３が地面に落下するのを防止するための落下防止用の紐である。尚、紐５の詳細については、後述する。
【００１６】
＝＝＝クリップ＝＝＝
以下、図３乃至図５を参照して、本実施形態におけるクリップについて説明する。図３は、本実施形態におけるクリップを示す平面図である。図４は、本実施形態における開かれた状態のクリップを示す平面図である。図５は、本実施形態におけるクリップを示す正面図である。
【００１７】
Ｚ１軸は回動軸３３Ａが延びる方向に沿う軸であり、回動軸３３Ａの一方側から他方側に向かう方向を＋Ｚ１方向とし、当該他方側から一方側に向かう方向を−Ｚ１方向とする。Ｘ１軸は、クリップ３が延びる方向に沿う軸であり、第１操作部３１２から第１把持部３１１に向かう方向を＋Ｘ１とし、第１把持部３１１から第１操作部３１２に向かう方向を−Ｘ１とする。Ｙ１軸は第１把持部材３１及び第２把持部材３２が並んでいる方向に沿う軸であり、第２把持部材３２から第１把持部材３１に向かう方向を＋Ｙ１とし、第１把持部材３１から第２把持部材３２に向かう方向を−Ｙとする。
【００１８】
クリップ３は、第１把持部材３１（片）、第２把持部材３２（片）、カバー３３を有する絶縁性の工具である。クリップ３は、電線４３の作業を行うときに、固定アーム２４及び回動アーム２５に把持される。クリップ３は、クリップ３の中央を通るＸ１Ｚ１平面を中心に略対称な形状を呈する。
【００１９】
第１把持部材３１及び第２把持部材３２は、回動軸３３Ａを中心に互いに相手方に対して回動可能に軸支されている。第１把持部材３１及び第２把持部材３２は、第１把持部３１１及び第２把持部３２１が互いに近づくように、回動軸３３Ａに設けられているコイルバネ（不図示）等により弾性付勢されている。
【００２０】
＜把持部材＞
第１把持部材３１は、第１把持部３１１、第１操作部３１２を有する。第１把持部３１１、第１操作部３１２は、回動軸３３Ａの位置に設けられているカバー３３を境に分けられている。第１把持部３１１は、第２把持部３２１との間で例えば絶縁シート４４及び電線４３等の把持対象物を把持する。第１操作部３１２は、第１把持部材３１を回動させために操作されたり、クリップ３を支持するために把持されたりする。第１操作部３１２は、Ｙ１軸方向において第２操作部３２２から離れるように屈曲している。
【００２１】
第２把持部材３２は、第２把持部３２１、第２操作部３２２を有する。第２把持部３２１、第２操作部３２２は夫々、第１把持部３１１、第１操作部３１２と同様な構成である。つまり、第１操作部３１２及び第２操作部３２２（第２開閉アーム）は、回動軸３３Ａを中心に開く方向に弾性付勢され、固定アーム２４及び回動アーム２５に把持される。第１把持部３１１及び第２把持部３２１（第３開閉アーム）は、回動軸３３Ａを中心に閉じる方向に弾性付勢され、電線４３を把持する。
【００２２】
＜操作部＞
第２操作部３２２（図５）は、第１部分３２３及び第２部分３２５を有する。  
第１部分３２３には、ヤットコ２の先端部材２４１と接触する第２接触面３２４が設けられる。接触面３２４には、先端部材２４１との間の摩擦力が増大するように、例えば凹凸が設けられている。この構成により、クリップ３が固定アーム２４及び回動アーム２５（第１開閉アーム）によって把持されているとき、クリップ３が固定アーム２４及び回動アーム２５から外れ難くなる。
【００２３】
第２部分３２５は、紐５を取り付けるための取付材５１（図７）が取り付けられる。Ｚ１方向における第２部分３２５の幅Ｄ２は、第１部分３２３の幅Ｄ１よりも短くなっている。従って、第２部分３２５を底とし、カバー３３及び第１部分３２３を側壁とした窪み３２６が設けられることになる。第２部分３２５に取り付けられた取付材５１は、窪み３２６に嵌ることになり、第２把持部材３２から抜け落ちるのが防止されることになる。尚、幅Ｄ１、Ｄ２の差分は、例えば１０ｍｍ程度であり、Ｘ１方向におけるカバー３３と第１部分３２３との間の距離は、例えば１０ｍｍ程度である。
【００２４】
＜把持部の開閉＞
コイルバネから第１把持部材３１及び第２把持部材３２に対して加えられる力（「コイルバネの付勢力」とも称する）に抗して、第１操作部３１２及び第２操作部３２２に対して、第１操作部３１２及び第２操作部３２２同士を近づける力（「把持部を開くための力」とも称する）を加えたとき、第１把持部３１１及び第２把持部３２１同士は遠ざかる。このとき、第１把持部３１１及び第２把持部３２１は開くことになる（図４）。
【００２５】
この後、把持部を開くための力が取り除かれたとき、第１把持部３１１及び第２把持部３２１同士は、コイルバネの付勢力に基づいて近づく。このとき、第１把持部３１１及び第２把持部３２１は閉じることになる（図３）。
【００２６】
＝＝＝ヤットコ＝＝＝
以下、図６を参照して、本実施形態におけるヤットコについて説明する。図６は、本実施形態におけるヤットコを示す正面図である。
【００２７】
＜ヤットコの構成＞
ヤットコ２は、クリップ３を把持して支持したり操作したりするための装置である。  
ヤットコ２は、主軸２１、操作レバー２２、伝達部２３、固定アーム２４、回動アーム２５、先端部材２４１、２５１を有する。尚、主軸２１及び伝達部２３が支持棒に相当する。
【００２８】
主軸２１は、固定アーム２４を支持するための、長尺形状を呈する絶縁性の棒部材である。主軸２１は、ヤットコ２を用いて作業を行う作業者のための持ち手としても機能する。
【００２９】
固定アーム２４は、対象物を把持するめの金属製のアームである。固定アーム２４は、主軸２１の先端に取り付けられた状態で、主軸２１に支持される。固定アーム２４の先端には、先端部材２４１が設けられる。先端部材２４１は、紐５（図７）が引っ掛かりやすくなるように、固定アーム２４の先端の径を大きくするために設けられている。尚、先端部材２４１は、固定アーム２４と一体的に形成されていることとしてもよいし、固定アーム２４とは別対として製造されたされた後に固定アーム２４の先端に取り付けられることとしてもよい。
【００３０】
回動アーム２５は、対象物を固定アーム２４と対となって把持するための金属製のアームである。回動アーム２５は、Ｙ軸に沿っている回動軸２４Ａを中心にＢ１方向又はＢ２方向に回動できるように、固定アーム２４に取り付けられる。回動アーム２５の先端には、先端部材２５１が設けられる。尚、先端部材２５１の構成は、先端部材２４１の構成と同様である。
【００３１】
操作レバー２２は、回動アーム２５を回動させるための絶縁性のレバーである。操作レバー２２は、例えば略Ｌ字形状を呈する。操作レバー２２は、回動軸２４Ａに沿った回動軸２２Ａを中心にＡ１方向又はＡ２方向に回動可能となるように、主軸２１に取り付けられる。操作レバー２２の一方の端部は、操作レバー２２からの回動力を伝達部２３に伝達できるように、伝達部２３の一方の端部（−Ｚ）と連結される。操作レバー２２の他方の端部は、ヤットコ２を用いて作業を行う作業者が操作レバー２２を操作できるように下側（−Ｚ）に向かって突出している。
【００３２】
伝達部２３は、操作レバー２２からの回動力を回動アーム２５に伝達するための、長尺形状を呈する絶縁性の棒部材である。伝達部２３の一方の端部は、前述したように、操作レバー２２の一方の端部と連結される。伝達部２３の他方の端部（＋Ｚ）は、操作レバー２２からの回動力をアーム３に伝達できるように、回動アーム２５と連結される。
【００３３】
＜アームの開閉＞
操作レバー２２をＡ２方向に回動させる力が加えられたとき、回動アーム２５は、回動軸２４Ａを中心にＢ２方向に回動される。このとき、回動アーム２５は固定アーム２４に近づくことになる。つまり、固定アーム２４及び回動アーム２５が閉じることになる。
【００３４】
操作レバー２２をＡ１方向に回動させる力が加えられたとき、回動アーム２５は、回動軸２４Ａを中心にＢ１方向に回動される。このとき、回動アーム２５は固定アーム２４から離れることになる。つまり、固定アーム２４及び回動アーム２５が開くことになる。
【００３５】
＝＝＝紐＝＝＝
以下、図７を参照して、本実施形態における紐について説明する。図７は、本実施形態における電線作業用工具の一部を示す正面図である。
【００３６】
＜紐の構成＞
紐５は、電線作業用工具１００を用いて電線４３の作業を行うときに、クリップ３が固定アーム２４及び回動アーム２５から外れて地面に落下するのを防止するための環状の絶縁性の紐である。紐５は、例えば１本の紐が環状となるように結ばれることにより形成されることとしてもよい。
【００３７】
紐５は、電線作業用工具１００を用いて作業を行う位置における風等を勘案して選択される。紐５としては、クリップ３を絶縁シート４４と共に電線４３に取り付けたとき（図２）に、風力に基づく位置の変動が起こりにくく自重で垂れ下がるように例えば実験等の結果に基づいて選択される。更に、紐５としては、垂れ下がったときに環の径が維持されるように、所定の硬度を有している紐が選択される。つまり、紐５としては、いわゆるこしがある紐が選択される。又、紐５の太さについては、第１操作部３１２と第２操作部３２２（図４）との間に紐５が挟まったとしても、第１把持部３１１及び第２把持部３２１を十分に開くことができるように比較的細いものが選択される。又、紐５の長さについては、紐５が捻られた状態でクリップ３をヤットコ２で操作することが可能となるものが選択される。紐５の長さについては、更に、紐５の環の径が固定アーム２４又は回動アーム２５の径と略同等となるまでに捻られる回数が最小となるものが選択される。紐５としては、例えば太さが直径３ｍｍ〜４ｍｍであり、長さが４０ｃｍ程度の１本の紐が選択され、当該１本の紐の両端同士が結ばれて環状とされたものが選択されることとしてもよい。
【００３８】
＜クリップに対する紐の取り付け＞
紐５は、取付材５１によって第２操作部３２２の第２部分３２５に取り付けられる。取付材５１は、例えば幅が１０ｍｍ程度であり、長さが例えば２０ｃｍ程度であり、厚みが２ｍｍ程度の例えば面ファスナ等の取付テープである。取付材５１のサイズは、第１操作部３１２と第２操作部３２２との間に取付材５１が挟まったとしても、第１把持部３１１及び第２把持部３２１を十分に開くことができるように定められる。尚、第１把持部３１１及び第２把持部３２１を十分に開くことができるとは、電線４３に対してクリップ３を着脱できる程度に第１操作部３１２と第２操作部３２２を開くことができることを示している。取付材５１は、紐５がクリップ３に取り付けられるように、第２操作部３２２との間に紐５を挟んで第２操作部３２２に巻回されて固定される。
【００３９】
＝＝＝クリップの取り付け＝＝＝
以下、図７乃至図９を参照して、本実施形態におけるクリップの取り付けについて説明する。図８は、本実施形態における紐が捻られた状態の電線作業用工具の一部を示す正面図である。図９は、本実施形態におけるヤットコに対してクリップが取り付けられた状態の電線作業用工具の一部を示す正面図である。
【００４０】
クリップ３は、第１操作部３１２及び第２操作部３２２が夫々先端部材２４１、２５１によって把持されることにより、ヤットコ２に対して取り付けられる。クリップ３の操作中に紐５及びクリップ３がヤットコ２から外れて落下するのを防止するために、紐５は、捻られた状態で固定アーム２４に引っ掛けられる。
【００４１】
クリップ３に取り付けられている紐５は、固定アーム２４に引っ掛けられる（図７）。クリップ３は、クリップ３の略中央を通りＸ軸に沿っている回動軸を中心に例えば１８０度回動される（図８）。このとき、紐５は紐５の環の略中央よりの位置で交差することになる。従って、捻られた紐５によって、環Ｃ２１及び環Ｃ２２が形成されることになる。環Ｃ２１及び環Ｃ２２の径は、環Ｃ１１（図７）径よりも小さくなっている。つまり、紐５を捻ることにより、紐５によって形成される環の径が縮小されることになる。
【００４２】
クリップ３を同様に所定角度（所定回数）だけ回動（回転）させることにより、環Ｃ３１乃至Ｃ３５の径を比較的小さくした後に、クリップ３は、ヤットコ２に把持されて取り付けられる。クリップ３のヤットコ２に対する取り付けについては、具体的には、開いた状態の回動アーム２５及び固定アーム２４の間にクリップ３が設けられる。回動アーム２５がＢ２方向（図６）に回動されて、先端部材２４１、２５１が第１操作部３１２及び第２操作部３２２と当接する。この後、クリップ３におけるコイルバネの付勢力に抗して、回動アーム２５が更にＢ２方向に回動されることにより、先端部材２４１、２５１によって第１操作部３１２及び第２操作部３２２が把持されることになる。つまり、コイルバネの付勢力とコイルバネの付勢力に抗して回動アーム２５を回動させる力に基づいて、クリップ３が、回動アーム２５及び固定アーム２４に把持されてヤットコ２に取り付けられることになる。
【００４３】
又、クリップ３がヤットコ２に取り付けられたとき、紐５は、捻られた状態で、クリップ３に取り付けられる側とは反対側に形成される環Ｃ３１を有する。尚、環Ｃ３１は、固定アーム２４が挿入される。紐５における固定アーム２４が挿入されている環３１の径が比較的小さくなっているために、例えば、クリップ３がヤットコ２から外れたとき、クリップ３と共に紐５が外れて、クリップ３が地面に落下するのを確実に防止することが可能となる。尚、紐５は、固定アーム２４が挿入される環Ｃ３１の径が固定アーム２４の径と略同等となるように捻られる。図９においては、説明の便宜上、環Ｃ３１の径が固定アーム２４の径よりも大きくなるように、紐５が示されている。又、紐５が捻られていることにより、クリップ３がヤットコ２から外れたときに落下する距離を短縮することにより、クリップ３が落下したときに取付材５１に加わる衝撃を比較的弱くすることが可能となる。
【００４４】
＝＝＝ヤットコの取り外し＝＝＝
以下、図１０及び図１１を参照して、本実施形態におけるヤットコの取り外しについて説明する。図１０は、本実施形態における電線に対してクリップが取り付けられた状態の電線作業用工具の一部を示す正面図である。図１１は、本実施形態における紐が解かれた状態の電線作業用工具の一部を示す正面図である。
【００４５】
クリップ３が電線４３に取り付けられた後、ヤットコ２は、クリップ３から取り外される。このとき、紐５が捻られているために、固定アーム２４が紐５から抜けにくくなっている。
【００４６】
紐５がクリップ３に対して固定されている位置を通り、且つ、Ｚ軸方向において延びている回転軸Ｅ１を中心に、固定アーム２４がＣ１方向に回動される（図１０）。固定アーム２４の回動角度に応じて紐５が解けることになる（図１１）。この後、固定アーム２４は、紐５から取り外される。
【００４７】
＝＝＝電線作業用工具を用いた作業＝＝＝
以下、図９乃至図１２を参照して、本実施形態における電線作業用工具を用いた作業について説明する。図１２は、本実施形態におけるヤットコからクリップが外れた状態の電線作業用工具の一部を示す正面図である。
【００４８】
＜電線に対するクリップの取り付け＞
ヤットコ２に対してクリップ３が取り付けられる（図９）。ヤットコ２の操作によって、クリップ３が電線４３に対して取り付けられる（図１０）。固定アーム２４の回動（回転）により紐５が解かれる（図１１）。この後、ヤットコ２は、紐５から外される。
【００４９】
＜電線からのクリップの取り外し＞
紐５に対して固定アーム２４が引っ掛けられた後、クリップ３は、ヤットコ２によって把持される。この後、クリップ３は、電線４３から取り外される。
【００５０】
＜クリップの落下の防止＞
ヤットコ２によってクリップ３を把持している際に、クリップ３がヤットコ２から外れて落下することがある。この場合、紐５が固定アーム２４に引っ掛かるために、クリップ３が例えば地面に落下するのを防止することが可能となる（図１２）。
【００５１】
[第２実施形態]
＝＝＝電線作業用工具＝＝＝
以下、図１３及び図１４を参照して、本実施形態における電線作業用工具について説明する。図１３は、本実施形態におけるクリップを示す平面図である。図１４は、本実施形態におけるクリップを示す正面図である。
【００５２】
本実施形態の電線作業用工具は、電線作業用工具１００（第１実施形態）におけるクリップ３をクリップ７に変更したものである。本実施形態の電線作業用工具におけるクリップ７以外の構成は、電線作業用工具１００の構成と同様である。
【００５３】
本実施形態の電線作業用工具は、クリップ７を有する。クリップ７は、第１把持部材７１及び第２把持部材７２に対して絶縁シート７５が取り付けられている。絶縁シート７５は、支持部材７５Ａによって支持されている。クリップ７には、絶縁シート７５が一体的に設けられているために、電線４３の作業を行う際にシートが落下するのを防止することができる。
【００５４】
[第３実施形態]
＝＝＝電線作業用工具＝＝＝
以下、図１５を参照して、本実施形態における電線作業用工具について説明する。図１５は、本実施形態におけるクリップを示す正面図である。
【００５５】
本実施形態の電線作業用工具は、電線作業用工具１００（第１実施形態）におけるクリップ３をクリップ３Ｃに変更したものである。本実施形態の電線作業用工具におけるクリップ３Ｃ以外の構成は、電線作業用工具１００の構成と同様である。
【００５６】
本実施形態の電線作業用工具は、クリップ３Ｃを有する。クリップ３Ｃの操作部には、挿通孔３２Ｃが設けられている。挿通孔３２Ｃは、紐５が挿通されて取り付けられる孔である。紐５がクリップ３Ｃに対して直接取り付けられるので、取付材５１（図７）が不要となる。
【００５７】
前述したように、クリップ３は、ヤットコ２の固定アーム２４及び回動アーム２５に把持される。ヤットコ２は、固定アーム２４及び回動アーム２５と、固定アーム２４及び回動アーム２５を支持する主軸２１及び伝達部２３を有する。紐５は、クリップ３に取り付けられている。紐５は、クリップ３が固定アーム２４及び回動アーム２５から外れても落下しないように、捻られている。紐５は、捻られた状態で、クリップ３に取り付けられる側とは反対側に形成される環Ｃ３１（図９）を有する環状の紐である。環Ｃ３１には、固定アーム２４及び回動アーム２５のうちの例えば固定アーム２４が挿入される。クリップ３が固定アーム２４及び回動アーム２５から外れたとき、紐５が固定アーム２４に引っ掛かって、クリップ３が落下するのが防止される。尚、紐５が捻られているので、固定アーム２４が挿入される環Ｃ３１の径が捻られていない状態の紐５の径よりも小さくなる。よって、環Ｃ３１に挿入されている固定アーム２４が紐５から外れ難くなる。従って、固定アーム２４が紐５に挿入された状態を確実に維持して、クリップ３が落下するのを防止することができる。
【００５８】
又、紐５は、環Ｃ３１の径が固定アーム２４の径と略同等となるように捻られている。紐５が固定アーム２４から外れるのを防止して、クリップ３が落下するのを確実に防止することができる。
【００５９】
又、取付材５１は、紐５がクリップ３に取り付けられるように、紐５を挟んでクリップ３の一の片である第２把持部材３２に巻回されて固定される。第２把持部材３２に対する取付材５１の固定により、クリップ３に対して紐５を確実に取り付けることができる。従って、クリップ３が落下するのを確実に防止することができる。又、クリップ３に対して紐５を取り付けるための取付孔等をクリップ３に設ける必要がないために、取付孔を設けることによりクリップ３の強度が低下するのを防止することができる。
【００６０】
又、クリップ３は、第１把持部材３１及び第２把持部材３２を有する。第１把持部材３１は、第１把持部３１１及び第１操作部３１２を有する。第２把持部材３２は、第２把持部３１２及び第２操作部３２２を有する。第１操作部３１２及び第２操作部３２２は、回動軸３３Ａを中心に開く方向に弾性付勢され、固定アーム２４及び回動アーム２５に把持される。第１把持部３１１及び第２把持部３２１は、回動軸３３Ａを中心に閉じる方向に弾性付勢され、電線４３を把持する。紐５が第２操作部３２２に取り付けられることになるために、電線４３をクリップ３によって把持する作業を行う際に、紐５が当該作業の妨げになるのを防止することができる。従って、使い勝手の良いクリップ３を提供することが可能となる。
【００６１】
又、取付材５１は、面ファスナである。紐５は、クリップ３に対して着脱可能とされる。よって、窪み３２６（図５）等の取付材５１がクリップ３から外れ難い位置に紐５を取り付けることにより、クリップ３が落下するのを確実に防止することができる。又、例えば、紐５を取り外した状態でクリップ３を運搬することが可能となる。従って、運搬の際に紐５が絡まるのを防止することが可能となり、可搬性に優れたクリップ３を提供することが可能となる。又、例えば電線４３が比較的狭い間隔で複数隣接している等の、紐５が電線４３の作業の妨げになる場合、紐５をクリップ３から取り外した状態で電線４３の作業を行うことが可能となる。従って、使い勝手のよいクリップ３を提供することができる。
【００６２】
又、クリップ３Ｃ（図１５）は、紐５が挿通される挿通孔３２Ｃを有する。紐５は、挿通孔３２Ｃに挿通されてクリップ３Ｃに取り付けられる。紐５がクリップ３Ｃに対して直接取り付けられるので、取付材５１（図７）が不要となる。従って、クリップ３Ｃに対して紐５を取り付けるための部品点数を低減して、クリップ３Ｃに対して紐５を取り付けるためのコストを低減することが可能となる。
【００６３】
又、電線作業用工具１００は、ヤットコ２、クリップ３及び紐５を有する。よって、クリップ３が落下するのを防止することが可能な電線作業用工具１００を提供することができる。よって、電線作業用工具１００を用いて行われる作業の安全性を向上させることができる。又、電線作業用工具１００を用いて行われる作業の際に、クリップ３の落下を防止するための例えば固定アーム２４及び回動アーム２５に対するクリップ３の位置の微調整等が不要となる。よって、電線作業用工具１００を用いて行われる作業の作業時間を短縮することができる。又、ヤットコ２及びクリップ３に対して紐５を部品として追加することにより、電線作業用工具１００を提供することが可能となる。従って、比較的安価に電線作業用工具１００を提供することが可能となる。又、ヤットコ２及びクリップ３を加工とすることなく、電線作業用工具１００を提供することが可能となる。又、ヤットコ２の固定アーム２４に対して紐５を引っ掛けた状態で、収納及び保管することが可能となる。従って、比較的小さい工具であるクリップ３の紛失を防止することができる。
【００６４】
尚、上記第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６５】
第１実施形態においては、紐５が取付材５１によって第２操作部３２２に取り付けられることについて説明したが、これに限定されるものではない。例えば、紐５が第２操作部３２２の第２部分３２５に対して直接結びつけられることとしてもよい。又、例えば、紐５が、第２操作部３２２でなく、第１操作部３１２に取り付けられることとしてもよい。
【００６６】
又、第１実施形態においては、取付材５１が面ファスナであることについて説明したが、これに限定されるものではない。例えば、取付材５１がゴムバンド等であることとしてもよい。
【００６７】
又、第１実施形態においては、紐５に対して固定アーム２４が挿入されることについて説明したが、これに限定されるものではない。例えば、紐５に対して回動アーム２５が挿入されることとしてもよい。
【００６８】
又、第１実施形態においては、紐５に対して固定アーム２４が挿入された後、紐５が捻られることについて説明したが、これに限定されるものではない。例えば、紐５が捻られた後、環Ｃ３１（図９）に対して固定アーム２４が挿入されることとしてもよい。
【００６９】
又、第１実施形態においては、紐５がクリップ３に取り付けられることについて説明したが、これに限定されるものではない。例えば、ヤットコ２の固定アーム２４及び回動アーム２５によって把持されるクリップ３以外の他の工具に紐５が取り付けられることとしてもよい。この場合、他の工具が固定アーム２４及び回動アーム２５から外れて落下するのを防止することができる。
【符号の説明】
【００７０】
２                ヤットコ
３、３Ｃ、７      クリップ
５                紐
２４              固定アーム
２５              回動アーム
３１、７１        第１把持部材
３２、７２        第２把持部材
３３Ａ            回動軸
４３              電線
５１              取付材
１００            電線作業用工具
【図１】
2015023706.tif 000003
【図２】
2015023706.tif 000004
【図３】
2015023706.tif 000005
【図４】
2015023706.tif 000006
【図５】
2015023706.tif 000007
【図６】
2015023706.tif 000008
【図７】
2015023706.tif 000009
【図８】
2015023706.tif 000010
【図９】
2015023706.tif 000011
【図１０】
2015023706.tif 000012
【図１１】
2015023706.tif 000013
【図１２】
2015023706.tif 000014
【図１３】
2015023706.tif 000015
【図１４】
2015023706.tif 000016
【図１５】
2015023706.tif 000017